(57)【特許請求の範囲】
【請求項１】
シリンダ錠の内筒の内端面外周部に突部及び凹陥部の一方を形成することにより構成され、シリンダ錠の内筒の回動時その中心軸線に垂直な平面内で内筒と一体に回動する第１スイッチ駆動部と、上記内筒の内端面に対向するように配設され、室内側のサムターンに連結されると共に、テールピースを介してシリンダ錠の内筒に連結されたクラッチ板と、このクラッチ板の内筒に対向する外面外周部に、突部及び凹陥部の一方を形成することにより構成された第２スイッチ駆動部と、アクチュエータが第１スイッチ駆動部の回動軌跡と干渉するように配設された第１スイッチと、サムターンによる施錠時又は解錠時、第２スイッチ駆動部にアクチュエータが係合するように配設された第２スイッチとを有し、シリンダ錠の内筒を合鍵により施錠方向又は解錠方向の何れかに回動させたときの第１スイッチの出力信号を内筒回動信号とし、一方、シリンダ錠の内筒を合鍵により施錠方向又は解錠方向の何れかに回動させたとき、テールピースを介して施錠又は解錠方向の内筒の回動を伝達され、或いは、サムターンにより直接回動されるクラッチ板の第２スイッチ駆動部に制御される第２スイッチから施錠信号或いは解錠信号を区別して取り出し、これら内筒回動信号、施錠信号及び解錠信号の組合わせにより施錠後の室内の人の有無を判定することを特徴とする内外独立信号錠。
【発明の詳細な説明】
【０００１】
【産業上の利用分野】
この発明は、内外独立信号錠に係り、特に、簡単な構成で外出及び在室の遠隔確認が可能な内外独立信号錠に関する。
【０００２】
【従来の技術】
近年、錠前の施錠が室外側から行われたのか、或いは室内側から行われたのかを判定し、人の在室の有無を判別して電源の制御或いは警備の開始等の信号を出力する、所謂内外独立信号錠が種々提案されている。
【０００３】
【発明が解決すべき課題】
上記の種々の内外独立信号錠の提案の内、例えば特開平５−８６７５５号公報において提案されたものは、錠前の内筒の施錠の為の回動、及び室内側のサムターンの回動をそれぞれ検知し、これらの回動によって発生する信号を処理するもので、原理上確実な作動が期待できる。
【０００４】
しかして、上記した特開平５−８６７５５号公報における発明の具体的な実施例は、錠前の内筒及びサムターンの回動を永久磁石とリードスイッチの相対的な移動を利用して検知するように構成されており、安価なマイクロスイッチを利用する実施例の示唆はされているが、その具体的な提案が無い。
【０００５】
この発明は、内筒及びサムターンの回動をマイクロスイッチを用いて検知できるようにした内外独立信号錠の具体的な構成を提案することを目的としている。
【０００６】
【課題を解決するための手段】
上記の目的を達成するため、この発明は、シリンダ錠の内筒の内端面外周部に突部及び凹陥部の一方を形成することにより構成され、シリンダ錠の内筒の回動時その中心軸線に垂直な平面内で内筒と一体に回動する第１スイッチ駆動部と、上記内筒の内端面に対向するように配設され、室内側のサムターンに連結されると共に、テールピースを介してシリンダ錠の内筒に連結されたクラッチ板と、このクラッチ板の内筒に対向する外面外周部に、突部及び凹陥部の一方を形成することにより構成された第２スイッチ駆動部と、アクチュエータが第１スイッチ駆動部の回動軌跡と干渉するように配設された第１スイッチと、サムターンによる施錠時又は解錠時、第２スイッチ駆動部にアクチュエータが係合するように配設された第２スイッチとを有し、シリンダ錠の内筒を合鍵により施錠方向又は解錠方向の何れかに回動させたときの第１スイッチの出力信号を内筒回動信号とし、一方、シリンダ錠の内筒を合鍵により施錠方向又は解錠方向の何れかに回動させたとき、テールピースを介して施錠又は解錠方向の内筒の回動を伝達され、或いは、サムターンにより直接回動されるクラッチ板の第２スイッチ駆動部に制御される第２スイッチから施錠信号或いは解錠信号を区別して取り出し、これら内筒回動信号、施錠信号及び解錠信号の組合わせにより施錠後の室内の人の有無を判定することを特徴とする。
【０００７】
【作用】
上記のように構成されたこの発明による内外独立信号錠は、施錠時、内筒が解錠角度位置から施錠角度位置にまで回動すると共に、テールピースを介して内筒の施錠方向の回動がクラッチ板に伝達され、クラッチ板が解錠角度位置から施錠角度位置にまで回動する。
【０００８】
このときの第１スイッチ駆動部と第１スイッチのアクチュエータとの係合の態様は、２通り考えられる。
【０００９】
その一は、施錠の内筒を一定角度例えば時計方向に回動させた後、その回動角度位置で施錠操作が完了して合鍵を抜く場合で、この場合、解錠時にはその施錠角度位置から、解錠角度位置にまで同じ角度だけ反対方向に戻す。
【００１０】
したがってこの場合には、第１スイッチの設置角度位置を、解錠時又は解錠時の第１スイッチ駆動部の角度位置に設定すれば、施錠時或いは解錠時この第１スイッチの出力信号が切り替わり、且つその切り替わった出力信号が、解錠中又は施錠中ずっと保持され、また、第１スイッチの設置角度位置を施錠時及び解錠時の第１スイッチ駆動部の角度位置の中間に設定すれば、解錠時この第１スイッチの出力信号が切り替わり、また直に元の出力信号に戻る。
【００１１】
その二は、施錠する為一定角度例えば時計方向に内筒を回動させた後、同じ角度反時計方向に戻して合鍵を抜く場合で、解錠するときには、反対に先ず反時計方向に一定角度内筒を回動させ、次いで時計方向に同じ角度だけ戻して合鍵を抜く。
【００１２】
この場合には、第１スイッチ駆動部は時計方向及び反時計方向の両方に回動するから、第１スイッチ及び第１スイッチ駆動部の角度位置を基準角度位置、即ち、施錠或いは解錠操作完了後合鍵を抜く角度位置、に合致させた方が第１スイッチを２個設けなくてもよいから合理的である。
【００１３】
このときには、施錠時及び解錠時とも、内筒の回動の始めにおいて直に第１スイッチの出力信号が切り替わり、施錠操作完了時及び解錠操作完了時第１スイッチの出力信号が元の出力信号に戻る。
【００１４】
何れの場合も、内筒が施錠方向に回動したのか、或いは解錠方向に回動したのかの区別はできないが、施錠或いは解錠の何れかの目的で回動したという信号を得ることができる。この信号を以下内筒回動信号と呼ぶことにする。
【００１５】
一方、前記したように、解錠している扉の施錠の為、合鍵を施錠方向に回動させると、この回動はテールピースを介してクラッチ板に伝達され、クラッチ板は解錠角度位置から施錠角度位置にまで回動する。
【００１６】
したがって、第２スイッチがサムターンによる施錠時第２スイッチ駆動部と係合するようにその設置位置が設定されていても、或いは解錠時第２スイッチが切り替わるように構成されていても、何れの場合でも第２スイッチの出力信号が変化し、しかもその出力信号は施錠中、或いは解錠中変化しないので、この第２スイッチの場合は、施錠及び解錠の区別ができる。
【００１７】
故に、第１スイッチから内筒回動信号が出力され、第２スイッチから施錠信号が発信されたときには、シリンダ錠は外側から合鍵により施錠されたので、室内は無人であると判定できる。
【００１８】
帰宅して、或いはホテルの部屋に戻ってシリンダ錠を合鍵により解錠すると、第１スイッチから内筒回動信号が、そしてクラッチ板の機能によりクラッチ板がテールピースに駆動されて解錠方向に回動するので、第２スイッチからは解錠信号が得られるので、シリンダ錠が外側から解錠されたと判定できる。
【００１９】
入室後サムターンを施錠方向に回動させると、クラッチ板の機能により、クラッチ板及びサムターンだけが施錠方向に回動し、テールピース及びこれと一体のシリンダ錠内筒は回動しないので、第１スイッチから内筒回動信号は出ず、第２スイッチから施錠信号のみが出力される。この場合には室内に人が居る、と判定される。
【００２０】
外出の為、サムターンを解錠方向に回動させると、内筒は回動せず、第２スイッチから解錠信号のみが出力されるので、外出の準備の為扉を開けた、という状態が把握される。
【００２１】
【実施例】
以下、図面を参照してこの発明の実施例を説明する。
なお、図示の実施例は、この発明を錠止機構を内蔵した錠箱を露出させた状態で扉内面に装着する所謂面付錠に適用したもので、その錠止機構は、例えば内筒を施錠の為時計方向に９０度回動させ、反時計方向に９０度回動させて合鍵を抜き、解錠のときは反時計方向に９０度回動させ、時計方向に９０度戻して合鍵を抜くように構成されているものとする。
【００２２】
図１において符号１は扉を示し、この扉１を貫通する飾り筒２付きの筒状のホルダー３内には、シリンダ錠４とスイッチホルダー５とが収納されている。
【００２３】
一方、扉１の内面に装着された面付錠の錠箱６内には、図示しないデッドボルト制御機構が収納されていると共に、このデッドボルト制御機構には図示しないサムターンが連結されている。
【００２４】
上記デッドボルト制御機構に、サムターンとは対称的に連結されたダルマ軸７の、シリンダ錠４に対向する側の外端部は、錠箱６の側板を貫通してホルダー３内に臨んでおり、その外端にはクラッチ板８が装着されている。
【００２５】
即ち、図２に示すように、ダルマ軸７の外端には横断面扇面形の一対の係合突起７ａ、７ａが形成されており、各係合突起７ａが、クラッチ板８の中央部に開口した略鼓形のクラッチ孔８ａに連設された扇面形の開口に嵌合している。
【００２６】
なお、クラッチ板８は、スイッチホルダー５の内端面に形成された円形の凹陥部に回動可能に係合しており、クラッチ板８がダルマ軸７の先端から抜け出る方向の動きは、上記凹陥部の底面によって阻止されている。
【００２７】
一方、図１及び図３に示すように、シリンダ錠の内筒９の内端面には円形のテールプレート１１がねじ止めされており、このテールプレート１１の外周部の一部が図１及び図４に示すようにクラッチ板８方向に突出して第１スイッチ駆動部１２が形成されている。
【００２８】
そして、図１に示すように、基準角度位置にある第１スイッチ駆動部１２と対向するスイッチホルダー５の部分には、そのアクチュエータをテールプレート１１側に向けて、第１スイッチ１３が装着されている。
【００２９】
この第１スイッチ１３としては、単極双投のマイクロスイッチを用いるのが好適である。
【００３０】
したがって、この第１スイッチ１３は、通常、即ち施錠状態及び解錠状態が続く場合には、そのアクチュエータが押込まれるように駆動される。
【００３１】
他方、シリンダ錠の内筒９の内端に同軸に結合された板状のテールピース１４は、図１、図２及び図３に示すように、テールプレート１１を貫通してクラッチ板８のクラッチ孔８ａと係合している。
【００３２】
このクラッチ板８の外周における部分には、図２及び図５に示すように、断面台形の凹陥部が形成されており、この凹陥部が第２スイッチ駆動部１５を構成している。
【００３３】
そして、図１に示すように、例えば解錠角度位置にある第２スイッチ駆動部１５と対向するスイッチホルダー５の部分には、そのアクチュエータをクラッチ板８側に向けて、第２スイッチ１６が装着されている。
【００３４】
したがって、この第２スイッチ１６は、クラッチ板８が解錠角度位置にあるとき以外は、そのアクチュエータが押込まれる方向に駆動される。
【００３５】
上記のように構成されたこの発明の一実施例による内外独立信号錠は、シリンダ錠の内筒が基準角度位置にあり、クラッチ板８が解錠角度位置にあるときには、テールピース１４とクラッチ板８とは図２に示すような係合態様である。
【００３６】
施錠の為内筒を９０度時計方向に回動させると、図６に示すように、クラッチ板８がテールピース１４に従動して時計方向に９０度回動し、合鍵を抜く為第６図に鎖線で示すように内筒を９０度反時計方向に戻すと、テールピース１４はクラッチ板８を施錠角度位置に残したまま反時計方向に回動し、その状態で合鍵をシリンダ錠から抜くことができる。
【００３７】
この過程において、前記したように第１スイッチ１３から内筒回動信号が得られ、第２スイッチ１６の出力は解錠信号から施錠信号に切り替わる。
【００３８】
テールピース１４を、解錠の為、第６図に鎖線で示す角度位置から反時計方向に９０度回動させ、合鍵を抜く為時計方向に９０度戻すと、図２に示すように、クラッチ板は解錠角度位置に戻る。
【００３９】
この過程において、前記したように第１スイッチ１３から内筒回動信号が得られ、第２スイッチ１６の出力は施錠信号から解錠信号に切り替わる。
【００４０】
【発明の効果】
以上の説明から明らかなように、この発明は、シリンダ錠の内筒の内端面に第１スイッチ駆動部を形成し、この第１スイッチ駆動部によって駆動される第１スイッチから内筒が回動したことを示す内筒回動信号を発生させ、一方、内筒とテールピースを介して連結されるクラッチ板の外面外周部に第２スイッチ駆動部を形成し、施錠時又は解錠時、この第２スイッチ駆動部により第２スイッチを駆動して、施錠信号或いは解錠信号を区別して得るようにしたので、安価なスイッチを用いて確実な作動を行う内外独立信号錠を得ることができる、という効果を奏する。
【図面の簡単な説明】
【図１】この発明の一実施例による内外独立信号錠の要部縦断面図。
【図２】シリンダ錠側から見たクラッチ板の正面図で、解錠状態を示す。
【図３】図１のＩＩＩ−ＩＩＩ線から見たテールプレートの正面図。
【図４】テールプレートの平面図。
【図５】クラッチ板の平面図。
【図６】シリンダ錠側から見たクラッチ板の正面図で、施錠状態を示す。
【符号の説明】
４  シリンダ錠
５  スイッチホルダー
８  クラッチ板
９  内筒
１１  テールプレート
１２  第１スイッチ駆動部
１３  第１スイッチ
１４  テールピース
１５  第２スイッチ駆動部
１６  第２スイッチ
【図１】
0003749739.tif 000002
【図２】
0003749739.tif 000003
【図３】
0003749739.tif 000004
【図４】
0003749739.tif 000005
【図５】
0003749739.tif 000006
【図６】
0003749739.tif 000007